(57)【要約】【課題】必要数の錠剤を安定して取り出すことが出来ると共に必要数以上の余った錠剤を容器内に確実・容易に戻すことが出来る錠剤容器を提供する。【解決手段】キャップ１０の内筒部１２の下端から滑らかに連続して径方向内側に向かって上方に傾斜してその中央部に貫通穴１６ａが形成されるように環状傾斜板１６を構成する。なお、貫通穴１６ａの径は、錠剤が通過することができ且つ所定量の錠剤が環状傾斜板上に貯留することが出来る大きさであれば良く、それ以外貫通穴１６ａの径は特に限定されない。また、環状傾斜板１６の傾斜角についても所定量の錠剤が環状傾斜板１６上に貯留することが出来る大きさであれば良く、それ以外傾斜角は特に限定されない。【選択図】図１
2015160663.tif 000002
【特許請求の範囲】
【請求項１】
口筒部（２）、肩部（３）、胴部（４）および底部（５）から成る容器（１）と、
該口筒部（２）の外周面に組み付く組付き筒部（１１）、該組付き筒部（１１）の上端から径方向内側に延設された環状平坦部（１３）、該環状平坦部（１３）の内周縁から下方に垂下して延設された内筒部（１２）、該内筒部（１２）の内周部から延設された環状傾斜板（１６）、ならびに該内筒部（１２）を閉栓する天板部（１４）を有するキャップ（１０）とを備えた錠剤容器であって、
前記環状傾斜板（１６）は径方向内側に傾斜しながらその中央部に内容物が通過可能な貫通穴（１６ａ）を形成することを特徴とする錠剤容器。
【請求項２】
前記環状傾斜板（１６）は上下方向に対し変位可能に構成されている請求項１に記載の錠剤容器。
【請求項３】
前記環状傾斜板（１６）は周方向に沿って薄肉部（１６ｂ）が形成されている請求項１又は２に記載の錠剤容器。
【請求項４】
前記キャップ（１０）の天板部（１４）裏面には前記環状傾斜板（１６）を押し下げる押下げ片（１７）が形成されている請求項１から３の何れかに記載の錠剤容器。
【請求項５】
前記押下げ片（１７）の下端部には径方向外側に張り出したアンダーカット部（１７ａ）が形成され、前記環状傾斜板（１６）は該押下げ片（１７）によって下方へ押し下げられながら該アンダーカット部（１７ａ）を乗り越えるように構成されている請求項４に記載の錠剤容器。
【請求項６】
前記キャップ（１０）の天板部（１４）は透明性を有する請求項１から５の何れかに記載の錠剤容器。
【請求項７】
前記キャップ（１０）はヒンジキャップである請求項１から６の何れかに記載の錠剤容器。
【発明の詳細な説明】
【技術分野】
【０００１】
本発明は、必要数の錠剤を安定して取り出すことが出来ると共に必要数以上の余った錠剤を容器内に確実・容易に戻すことが出来る錠剤容器に関するものである。
【背景技術】
【０００２】
飲食し易いように予め所定の形状（例えば球形、長球形、円板形、膨出円板形等）に加工された粒状の医薬品や食品（以下、「錠剤」という。）を収納容器から取り出す方法としては、キャップを開き容器内に指を挿入して取り出すか、或いは容器を反転傾斜させて容器に軽い振動を加え錠剤を容器開口近傍まで移動させ、その状態から更に軽い振動を加え必要数を落下させ手で受け取ることが一般的な方法である。特に、指を容器内部へ挿入して取り出す場合、使用始めにおいては錠剤は胴部上方近傍まで満たされている為、指を容器内部へ深く挿入しなくても取り出すことは容易であるが、残量が少なくなるにつれて、指を容器内部深く挿入する必要が生じてくる。特に、残量が終局間際には、容器内部深く例えば容器の底部付近まで指を挿入する必要が生じてくる。この場合、指先の感覚で錠剤を探し出し摘み出さなければならない為、錠剤を取り出すことは簡単ではなくなる。また、容器の底部付近まで指を挿入する為、指が錠剤だけでなく容器内面にも触れることになり、衛生面の観点からあまり好ましくなかった。
ところで、指を容器内部へ挿入することなく所定量の錠剤を取り出すことが出来るとした容器が知られている（例えば、特許文献１を参照。）。この容器では、容器本体と蓋体との間に筒状の中間連結体が設けられ、その中間連結体の内側開口には、錠剤が貯留する底板が設けられている。その底板は、縦断面で見た場合、底板が先端部分において２つに分岐し蓋体側に反った円弧形状（第１延出部および第２延出部）を成して構成されている。
この容器において錠剤を取り出すには、蓋体が締まった状態で第１延出部（第２延出部）が中間連結体の中で下方に来るように容器を反転傾斜させ、錠剤が蓋体の天板と底板との間に入り込むようにする。そして、容器を元の姿勢に戻すことにより、蓋体と中間連結体との間にあった錠剤の内、第１延出部側にあった錠剤は底板に配置される一方、それ以外の錠剤は容器本体の収納部内へ戻されることになる。そして、蓋体を開け、指で摘んで取り出すか、或いは容器を再度傾斜させることにより錠剤を取り出すこととしている。
【先行技術文献】
【特許文献】
【０００３】
【特許文献１】特開２００６−２４８５６７号公報
【発明の開示】
【発明が解決しようとする課題】
【０００４】
上述した通り、上記錠剤容器では、蓋体が締まった態様で容器を反転傾斜させ元の姿勢に戻すことにより、所定量の錠剤だけが底板上に取り上げられこととしている。
しかし、上記錠剤容器では、容器を反転傾斜させる際、底板（第１または第２延出部）が中間連結体の中で下方に来るように容器を反転傾斜させる必要がある。なぜなら、それ以外の向きに容器を反転傾斜させる場合、錠剤が蓋体と底板の間に入り込むことが出来ないため、蓋体が締まった態様で容器を反転傾斜させ元の姿勢に戻したとしても、所定量の錠剤を取り出すことが出来ない虞がある。つまり、上記錠剤容器では、錠剤を取り出す際、容器を反転傾斜させる方向が厳密に規定され、それ以外の向きに容器を反転傾斜させる場合、所定量の錠剤を取り出すことが出来ない虞がある。
他方、必要数以上の余った錠剤については、蓋体が締まった態様で容器を傾斜させ底板から下方へ落として容器内へ戻すものと考えられるが、今度は底板（第１または第２延出部）が中間連結体の中で上方に来るように容器を傾斜させる必要がある。つまり、上記錠剤容器では、余った錠剤を容器内へ戻す際、容器を傾斜させる方向が厳密に規定され、それ以外の向きに容器を傾斜させる場合、余った錠剤を容器内へ戻すことが出来ない虞がある。
そこで、本発明は、上記従来技術の課題に鑑みなされたものであって、必要数の錠剤を安定して取り出すことが出来ると共に必要数以上の余った錠剤を容器内に確実・容易に戻すことが出来る錠剤容器を提供することを目的とする。
【課題を解決するための手段】
【０００５】
上記技術的課題を解決するための本発明のうち、請求項１記載の発明の手段は、口筒部、肩部、胴部および底部から成る容器と、
該口筒部の外周面に組み付く組付き筒部、該組付き筒部の上端から径方向内側に延設された環状平坦部、該環状平坦部の内周縁から下方に垂下して延設された内筒部、該内筒部の内周部から延設された環状傾斜板、ならびに該内筒部を閉栓する天板部を有するキャップとを備えた錠剤容器であって、
前記環状傾斜板は径方向内側に傾斜しながらその中央部に内容物が通過可能な貫通穴を形成することを特徴とする。
【０００６】
請求項１記載の上記構成では、キャップが締まった状態でユーザーが容器を正立状態から反転傾斜（例えば１８０度近く反転傾斜）させて再び正立状態に戻すことにより、錠剤が貫通穴を通過して容器口筒部内側に設けられた環状傾斜板の傾斜によって必要数を含む所定量の錠剤が環状傾斜板上に貯留されることになる。そして、ユーザーがキャップを開くと、錠剤は容器口筒部内側に設けられた環状傾斜板上に貯留されている為、必要数の錠剤を指先で摘んで容易に取り出すことが出来るようになる。このように、容器を正立状態から反転傾斜させて再び正立状態に戻す動作は、錠剤残量の大小には関係なく更には容器の深さにも関係なく、必要数の錠剤を指先で摘んで容易に取り出すことが出来るようになる。なお、環状傾斜板はキャップ内筒部下端の周方向に沿って設けられている為、容器を反転傾斜させる向きにも関係なく、必要数の錠剤を安定して取り出すことが出来るようになる。
また、必要数以上の余った錠剤については、環状傾斜板の中央部には貫通穴が形成されている為、指先で軽く押して或いは容器を傾斜させて貫通穴へ誘導して貫通穴を通して容器内に確実・容易に戻すことが出来るようになる。
【０００７】
請求項２記載の発明の手段は、前記環状傾斜板は上下方向に対し変位可能に構成されている、ことにある。
【０００８】
上記構成では、環状傾斜板を下方に変位させることにより指先が錠剤に触れることなく環状傾斜板上に貯留している必要数以上の余った錠剤を容器内に確実・容易に戻すことが出来るようになる。
【０００９】
請求項３記載の発明の手段は、前記環状傾斜板は周方向に沿って薄肉部が形成されている、ことにある。
【００１０】
上記構成では、環状傾斜板の上下方向に対する変位を容易にすることが出来るようになる。
【００１１】
請求項４記載の発明の手段は、前記キャップの天板部裏面には前記環状傾斜板を押し下げる押下げ片が形成されている、ことにある。
【００１２】
上記構成では、キャップを閉じる過程で、押下げ片が環状傾斜板を押し下げ下方へ変位させ、環状傾斜板上に貯留している必要数以上の余った錠剤を容器内に確実・容易に戻すことが出来るようになる。つまり、キャップを閉じることにより、必要数以上の余った錠剤を容器内に確実・容易に戻すことが出来るようになる。
【００１３】
請求項５記載の発明の手段は、前記押下げ片の下端部には径方向外側に張り出したアンダーカット部（凸部）が形成され、前記環状傾斜板は該押下げ片によって下方へ押し下げられながら該凸部を乗り越えるように構成されている、ことにある。
【００１４】
上記構成では、例えばキャップを閉じた際に、環状傾斜板は元の位置（元の形状）に復元するようにすることが出来るようになる。従って、ユーザーは同一の動作（正立状態から反転傾斜させて再び正立状態に戻すという動作）を単に繰り返すことにより、再びキャップを開けて必要数の錠剤を容易に取り出すことが出来ると共に、必要数以上の余った錠剤を容器内に確実・容易に戻すことが出来るようになる。つまり、反復繰り返し性を有するようになる。
【００１５】
請求項６記載の発明の手段は、前記キャップの天板部は透明性を有する、ことにある。
【００１６】
上記構成では、環状傾斜板上に貯留する錠剤をキャップを開けることなく外部から確認することが出来るようになる。これにより、容器の反転傾斜および正立復帰の動作を効率良く行うことができ、その結果、必要数の錠剤を安定に環状傾斜板上に載せることが出来ると共に必要数以上の余った錠剤を確実・容易に容器内に戻すことが出来るようになる。
【００１７】
請求項７記載の発明の手段は、前記キャップはヒンジキャップである。
【００１８】
上記構成では、天板部は組付き筒に一体に連結され、その結果、キャップを容器から分離する必要がなくなり、キャップの紛失が好適に防止されると共にキャップ開閉操作が容易となる。
【発明の効果】
【００１９】
本発明によれば、容器を反転傾斜させる向きに依らずに、キャップを閉じた状態で容器全体を正立状態から反転傾斜させて再び正立状態に戻す動作により、必要数を含む所定量の錠剤が環状傾斜板上に貯留され、キャップを開けて必要数の錠剤を容易に取り出すことが出来ると共に、指先で錠剤を軽く押して又は環状傾斜板を押し下げて或いは押下げ片が裏面に立設されたキャップを閉じて、必要数以上の余った錠剤を貫通穴へ誘導して容器内に確実・容易に戻すことが出来るようになる。
【図面の簡単な説明】
【００２０】
【図１】本発明の実施例１に係る錠剤容器を示す断面説明図である。
【図２】本発明の実施例１に係る錠剤容器の錠剤取り出し方法を示す説明図である。
【図３】本発明の実施例２に係る錠剤容器を示す断面説明図である。
【図４】本発明の実施例２に係る錠剤容器の錠剤取り出し方法を示す説明図である。
【図５】本発明の実施例３に係る錠剤容器を示す断面説明図である。
【図６】本発明の実施例３に係る錠剤容器の錠剤取り出し方法を示す説明図である。
【図７】本発明の実施例３に係る錠剤容器の錠剤取り出し方法を示す説明図である。
【発明を実施するための形態】
【００２１】
以下、図に示す実施の形態により本発明をさらに詳細に説明する。
【００２２】
図１は、本発明の実施例１に係る錠剤容器１００を示す断面説明図である。
この錠剤容器１００は、錠剤を収容する容器１と、容器１を開・閉栓するキャップ１０とを具備して構成されている。この錠剤容器１００は、キャップ１０を閉じた状態で容器全体を正立状態から反転傾斜させて再び正立状態に戻すという動作により、必要数を含む所定量の錠剤が後述する環状傾斜板１６上に貯留され、キャップ１０を開けて必要数の錠剤を容易に取り出すことが出来ると共に、指先で軽く押して或いは容器を傾斜させて貫通穴１６ａへ誘導して必要数以上の余った錠剤を確実・容易に容器１内に戻すことが出来るように構成されている。
【００２３】
容器１は、例えばポリエチレン樹脂やポリプロピレン樹脂、ポリエステル樹脂などの合成樹脂材料をブロー成形法または射出成形法などにより所定の形状に成形されたもので、口筒部２、肩部３、胴部４および底部から成る。口筒部２の外周面には、キャップ１０を螺合により装着するための雄ねじ部２ａが形成されている。また、口筒部２の開口は、ユーザーが錠剤を取り出し易いように、径の大きい、いわゆる広口を成している。
【００２４】
キャップ１０は、例えばポリエチレン樹脂やポリプロピレン樹脂、ポリエステル樹脂または透明性を有する合成樹脂材料を射出成形法により所定の形状に成形されたもので、口筒部２に螺合により組み付く組付き筒部１１と、口筒部２の上端面に接合する内筒部１２と、組付き筒部１１と内筒部１２を一体に連結する環状平坦部１３と、内筒部１２の開口を閉栓する天板部１４と、組付き筒部１１と天板部１４を一体に連結するヒンジ部１５と、そして所定量の錠剤が貯留される本発明に係る環状傾斜板１６とから成る。
【００２５】
キャップ１０は透明性を有することが好ましく、この場合、キャップ１０を開けずに環状傾斜板１６上に貯留された錠剤を外部から確認することが出来る。
【００２６】
組付き筒部１１の内周面には口筒部２の雄ねじ部２ａと螺合する雌ねじ部１１ａが形成されている。また、組付き筒部１１の上部外周縁には天板部１４の内周縁が嵌る周条段差１１ｂが形成されている。
【００２７】
内筒部１２は、上端において環状平坦部１３と、下端において環状傾斜板１６とそれぞれ一体に連結し、組付き筒部１１を口筒部２にねじ込んだ際、口筒部２の上端面に接合するように構成されている。なお、内筒部１２の口筒部２に対する結合形態は、環状傾斜板１６が高い位置に保持されるように接合形態であるが、嵌入形態でもあっても良い。
【００２８】
天板部１４は組付き筒部１１にヒンジ結合部１５によって一体に連結されて、キャップ１０が容器１から分離することがないように構成されている。また、天板部１４は、二段円筒構造を成して周条段差１４ａが設けられ、ユーザーがキャップ１０を開閉する際、天板部１４が容易に変形することがないようにしている。
【００２９】
ヒンジ部１５は、ヒンジ１５ａ（図２(c)）とＬ字状ヒンジ１５ｂにより構成されている。特に、Ｌ字状ヒンジ１５ｂは天板部１４の開姿勢（キャップ１０が開いた時）または閉姿勢（キャップ１０が閉じた時）を安定に保持するように機能する。なお、キャップ１０の姿勢を安定に保持するヒンジはＬ字状に限定されない。
【００３０】
環状傾斜板１６は、内筒部１２の下端から滑らかに連続して径方向内側に向かって上方に傾斜してその中央部に貫通穴１６ａが形成されるように構成されている。なお、貫通穴１６ａの径は、錠剤が通過することができ且つ所定量の錠剤が環状傾斜板１６上に貯留することが出来る大きさであれば良く、それ以外貫通穴１６ａの径は特に限定されない。また、環状傾斜板１６の傾斜角についても所定量の錠剤が環状傾斜板１６上に貯留することが出来る大きさであれば良く、それ以外傾斜角は特に限定されない。
【００３１】
なお、環状傾斜板１６は内筒部１２に一体に成形されているが、別体（二体）に成形することも可能である。
【００３２】
図２は、本発明の実施例１に係る錠剤容器１００の錠剤取り出し方法を示す説明図である。なお、図１に示すように、キャップ１０は閉じた状態にあるとする。
先ず、図２(a)に示すように、容器全体を反転傾斜させる。錠剤が貫通穴１６ａを通って天板部１４と環状傾斜板１６の間に入り込む。
次に、図２(b)に示すように、容器全体を正立状態に戻す。天板部１４と環状傾斜板１６の間に入り込んだ錠剤の内、環状傾斜板１６の傾斜および貫通穴１６ａによって、必要数を含む所定量の錠剤が環状傾斜板１６上に貯留される。
そして、図２(c)に示すように、キャップ１０（天板部１４）を開栓し、環状傾斜板１６上に貯留する所定量の錠剤に内、必要数の錠剤を指先で摘んで取り出す。なお、必要数以上の余った錠剤は、指先で軽く押して或いは容器１を傾斜させて貫通穴１６ａへ誘導して貫通穴１６ａから落下させて容器１内に戻すことになる。なお、容器１を傾けて容器１内に戻す際、キャップ１０は閉じた状態であっても開いた状態であっても良い。
【００３３】
図３は、本発明の実施例２に係る錠剤容器２００を示す断面説明図である。
この錠剤容器２００は、環状傾斜板１６に薄肉部１６ｂが周設され、環状傾斜板１６が上下方向に変位可能に構成されている。すなわち、ユーザーが環状傾斜板１６を押圧することにより下方に変位し押圧を解除すると元の形状に復元変形（弾性変形）するように構成されている。従って、上記実施例１に係る錠剤容器１００では、必要数以上の余った錠剤は、ユーザーが指先で軽く押して或いは容器１を傾斜させて貫通穴１６ａへ誘導して貫通穴１６ａから落下させて容器１内に戻していたが、本錠剤容器２００では、図４にて後述する通りユーザーが環状傾斜板１４を押し下げて錠剤の自重により貫通穴１６ａから落下させて容器１内に戻すことになる。
【００３４】
なお、必要数の錠剤を取り出すためには、上記実施例１に係る錠剤容器１００と同じように、キャップ１０を閉じた状態で容器全体を正立状態から反転傾斜させて再び正立状態に戻した後、キャップ１０を開けて必要数の錠剤を取り出すことになる。従って、薄肉部１６ｂ以外の構成は、上記実施例１に係る錠剤容器１００と同じである。
【００３５】
図４は、本発明の実施例２に係る錠剤容器２００の錠剤取り出し方法を示す説明図である。なお、必要数の錠剤を取り出すための方法は、上記錠剤容器２００と同一であるので、ここでは、必要数以上の余った錠剤を容器１内に戻す方法について説明する。
ユーザーが指先で環状傾斜板１６を押して下方へ変位させ錠剤の自重により必要数以上の余った錠剤を貫通穴１６ａから落下させて容器１内に戻すことになる。このように、ユーザーは錠剤に触れることなく環状傾斜板１６を下方へ変位させることにより、必要数以上の余った錠剤を容器１内に確実・容易に戻すことが出来るようになる。なお、ユーザーが環状傾斜板１６に対する押圧を解除すると、環状傾斜板１６は元の位置（元の形状）に復元変形することになる。
【００３６】
図５は、本発明の実施例３に係る錠剤容器３００を示す断面説明図である。
この錠剤容器３００は、キャップ１０を閉栓する時に環状傾斜板１６を押し下げる押下げ片１７が天板部１４の裏面に立設されている。従って、上記実施例２に係る錠剤容器２００では、ユーザーが指先で環状傾斜板１６を押して錠剤の自重により貫通穴１６ａから落下させて容器１内に戻していたが、本錠剤容器３００では、図６にて後述する通り押下げ片１７が環状傾斜板１６を押して下方へ変位させ、錠剤の自重により余った錠剤を貫通穴１６ａから落下させて容器１内に戻すことになる。このように、ユーザーは錠剤に触れることなく、必要数以上の余った錠剤を容器１内に戻すことが出来るようになる。
【００３７】
押下げ片１７は下端にアンダーカット部１７ａが形成され、キャップ１０が閉栓される直前まで環状傾斜板１６がアンダーカット部１７ａを乗り越えることが出来ないように構成されている。キャップ１０が閉じた状態では、図５に示すように、環状傾斜板１６がアンダーカット部１７ａを既に乗り越えて元の位置（元の形状）に復元された状態にある。
【００３８】
なお、押下げ片１７の形状については、ユーザーがキャップ１０を閉じる過程において環状傾斜板１６をある一定距離下方へ押し下げることができる形状であれば良く、例えば、単一の棒状物または片状物、或いはこれらが複数個周方向に間欠的に並んだ物が挙げられる。また、アンダーカット部１７ａは省略することも可能である。
【００３９】
なお、必要数の錠剤を取り出すためには、上記実施例２に係る錠剤容器２００と同じように、キャップ１０を閉じた状態で容器全体を正立状態から反転傾斜させて再び正立状態に戻した後、キャップ１０を開けて必要数の錠剤を取り出すことになる。従って、押下げ片１７以外の構成は、上記実施例２に係る錠剤容器２００と同じである。
【００４０】
図６−７は、本発明の実施例３に係る錠剤容器３００の錠剤取り出し方法を示す説明図である。なお、図５に示すように、キャップ１０は閉じた状態にあるとする。
先ず、図６(a)に示すように、容器全体を反転傾斜させる。錠剤が貫通穴１６ａを通って天板部１４と環状傾斜板１６の間に入り込む。
次に、図６(b)に示すように、容器全体を正立状態に戻す。天板部１４と環状傾斜板１６の間に入り込んだ錠剤の内、環状傾斜板１６の傾斜および貫通穴１６ａによって、必要数を含む所定量の錠剤が環状傾斜板１６上に貯留される。
そして、図６(c)に示すように、キャップ１０（天板部１４）を開栓し、環状傾斜板１６上に貯留する所定量の錠剤に内、必要数の錠剤を指先で摘んで取り出す。
なお、必要数以上の余った錠剤は、図７に示すように、キャップ１０（天板部１４）を閉じ始めると、押下げ片１７が環状傾斜板１６を押して下方へ変位させ錠剤の自重により錠剤を貫通穴１６ａから落下させて容器１内に戻すことになる。そして、キャップ１０が閉じる直前あるいは閉じるのと同時に環状傾斜板１６が押下げ片１７のアンダーカット部１７ａを乗り越えて元の位置（元の形状）に復元することになる。
【００４１】
本発明の錠剤容器１００,２００,３００によれば、容器１を反転傾斜させる向きに依らずに、キャップ１０を閉じた状態で容器全体を正立状態から反転傾斜させて再び正立状態に戻す動作により、必要数を含む所定量の錠剤が環状傾斜板１６上に貯留され、キャップ１０を開けて必要数の錠剤を容易に取り出すことが出来ると共に、指先で錠剤を軽く押して又は環状傾斜板１６を押し下げて或いは押下げ片１７が裏面に立設されたキャップ１０を閉じて、必要数以上の余った錠剤を貫通穴１６ａへ誘導して容器内に確実・容易に戻すことが出来るようになる。
【００４２】
以上、本発明の実施例について説明したが、本発明は、上記実施例に限定されるものではなく、本発明の趣旨を逸脱しない範囲において、種々の変更を加えることが可能である。例えば、環状傾斜板１６を上下方向に変位可能にするために薄肉部１６ａを設けているが、インサート成形等により環状傾斜板１６のみを軟質材で成形することも可能である。また、容器１とキャップ１０はねじ結合しているが、凹凸嵌合して組み付けるようにしても良い。
【００４３】
また、ユーザーがキャップ１０を閉じると環状傾斜板１６がアンダーカット部１７ａを乗り越えて元の位置（元の形状）に復元するように構成されているが、環状傾斜板１６はアンダーカット部１７ａを乗り越えずに押下げ片１７によって押し下げられた状態を維持するようにすることも可能である。
【産業上の利用可能性】
【００４４】
本発明の錠剤容器は、錠剤を収納する容器に好適に適用される。
【符号の説明】
【００４５】
１                      容器
２                      口筒部
２ａ                    雄ねじ部
３                      肩部
４                      胴部
５                      底部
１０                    キャップ
１１                    組付き筒部
１１ａ                  雌ねじ部
１１ｂ                  周条段差
１２                    内筒部
１３                    環状平坦部
１４                    天板部
１５                    ヒンジ部
１５ａ                  ヒンジ
１５ｂ                  Ｌ字状ヒンジ
１６                    環状傾斜板
１６ａ                  貫通穴
１６ｂ                  薄肉部
１７                    押下げ片
１７ａ                  アンダーカット部
１００、２００、３００  錠剤容器
【図１】
2015160663.tif 000003
【図２】
2015160663.tif 000004
【図３】
2015160663.tif 000005
【図４】
2015160663.tif 000006
【図５】
2015160663.tif 000007
【図６】
2015160663.tif 000008
【図７】
2015160663.tif 000009